(57)【要約】      （修正有）【課題】ベビーカー、キャリコット及び乳幼児を運んだり、中に居れておくためのそれらの手段を、すくなくとも部分的に包み込むように、及び中に取込まれる空気を濾過するように構成されるカバーを提供する。【解決手段】ベビーカーの内部に、少なくとも部分的に内部の空気を濾過する様、不織布材料で構成されるカバーＡを配し、さらにベビーカーの前方、及び両側面にも前記同一材料で作られたシートＥ、Ｆ、Ｇを取り付ける。カバーＡにはプラスチック製の窓Ｃを設け、ベビーカーの内部が見える様にする。これにより、ベビーカーの開口部を閉じることにより、内部の空気を濾過し、又外部からの汚れた空気から内部を保護できる。【選択図】図５
0003181129.tif 000002
【実用新案登録請求の範囲】
【請求項１】
子供及び乳幼児の少なくとも一方を保持する手段としてのカバーであって、該保持手段は少なくとも１つの開口部を備え、該カバーは、
（i）前記保持手段への前記カバーの取付けは、前記カバーの外形を前期保持手段の開口部に合わせることを可能にする、前記保持手段へ解除可能な取付けをする手段と、
（ii）該開口部を通じて前記保持手段へ取込まれる空気を、少なくとも部分的に濾過するように構成される層であって、不織布材料を含んで構成される少なくとも１つの層を含んで構成される層と、
（iii）前記保持手段の中に居る子供は、前記保持手段の外部を見ることが可能であって、粉塵、大気汚染物質、ウィルス、細菌、紫外線、液体及び虫を含んで構成されるグループのうち少なくとも１つを透過させない層を含んで構成される少なくとも１つの窓と、
を含んで構成されるカバー。
【請求項２】
さらに、薄膜織物材料を含んで構成される少なくとも１つの層を含んで構成される請求項１に記載のカバー。
【請求項３】
少なくとも２つの層を含んで構成され、そのうち、内側の層は薄膜織物材料を含んで構成され、外側の層は前記保持手段の開口部に面しており、不織布材料を含んで構成される、請求項１又は２に記載のカバー。
【請求項４】
前記保持手段の開口部に面したカバーの領域は、酸素及び二酸化炭素を少なくとも部分的に透過させ、粉塵、大気汚染物質、ウィルス、細菌、紫外線、液体及び虫を含んで構成されるグループのうち少なくとも１つを、少なくとも部分的に透過させない、請求項１から３のいずれか１つに記載のカバー。
【請求項５】
前記カバーは、子供及び乳幼児の少なくとも一方を、風、光及び騒音及び衝撃の少なくとも１つにさらされるのを少なくとも部分的に阻止及び抑制するように構成される、請求項１から４のいずれか１つに記載のカバー。
【請求項６】
さらに、引き紐、リボン、ベルクロ(登録商標）、ゴムバンド、ベルト、フック、掛け金、錠、輪なわ、スナップ、クロージャー、留め金、スナップファスナー、ポップファスナー又はプレスファスナーあるいはクリップを含んで構成されるグループのうち少なくとも１つを含んで構成される取付け手段を含んで構成される、請求項１から５のいずれか１つに記載のカバー。
【請求項７】
前記解除可能な取付け手段は、前記取付け手段が前記開口部周りに締め付けられている場合に、前記保持手段の開口部に前記カバーの外形を合わせるように構成される、請求項１に記載のカバー。
【請求項８】
前記締め付けは、前記カバーの一部を外すこと、又は折り畳むことによって前記開口部を部分的に開放することができる、請求項７に記載のカバー。
【請求項９】
さらに、前記窓を覆うための折畳式遮光層を含んで構成される、請求項１に記載のカバー。
【請求項１０】
前記保持手段の内部で保温を促進するように構成される、請求項１から９のいずれか１つに記載のカバー。
【請求項１１】
子供及び乳幼児の少なくとも一方を保持する手段であって、少なくとも１つの窓を備え、少なくとも１つのカバーの取付けによって、開口部を通じて保持手段へ取込まれる空気を、少なくとも部分的に濾過するように構成されること、及び乳幼児及び子供の少なくとも一方が前記保持手段の外部を見ることを可能にし、
（i）前記保持手段へのカバーの取付けは、該カバーの外形を前記保持手段の開口部に合わせることを可能にする、該保持手段へ解除可能な取付けをする手段と、
（ii）開口部を通じて前記保持手段へ取込まれる空気を、少なくとも部分的に濾過するように構成され、不織布材料を含んで構成される少なくとも１つの層を含んで構成される層と、
（iii）前記保持手段の中に居る子供は、前記保持手段の外部を見ることが可能であって、粉塵、大気汚染物質、ウィルス、細菌、紫外線、液体及び虫を含んで構成されるグループのうち少なくとも１つを透過させない層を含んで構成される少なくとも１つの窓と、
を含んで構成される保持手段。
【請求項１２】
前記カバーは、前記保持手段の開口部を包み込む、請求項１１に記載の保持手段。
【請求項１３】
前記保持手段は、濾過用カバー上で取付け手段に解除可能な取付けをする手段で構成され、前記保持手段への前記カバーの取付けは、前記カバーの外形を前期保持手段の開口部に合わせることを可能にする、請求項１１又は１２に記載の保持手段。
【請求項１４】
前記保持手段は、ベビーカー、乳母車、ベビーキャリア、ベビーキャリコット、保育器、ベビーベッド、子供用自転車の座席又は荷台、バシネット、子供用モーターサイクルの座席又は荷台、及び三輪車の一部を含んで構成されるグループから選択される、請求項１１から１３のいずれか１つに記載の保持手段。
【請求項１５】
さらに、例えば、子供又は乳幼児と、少なくとも１つのカバーとの間に快適な隙間を作るために、少なくとも１つのカバーが配置されている上に足場を含んで構成される、請求項１１から１４のいずれか１つに記載の保持手段。
【考案の詳細な説明】
【技術分野】
【０００１】
本考案は、概して大気汚染物質による汚染、及びウィルス及び細菌性疾病から幼児を保護するための濾過手段に関する。より詳細には、本考案は、ベビーカー、キャリコット及び乳幼児を運んだり、中に居れておくためのそれらの手段を、少なくとも部分的に包み込むように、及び中に取込まれる空気を濾過するように構成されるカバーに関する。
【考案の概要】
【考案が解決しようとする課題】
【０００２】
環境汚染の深刻化、ウィルス及び細菌性疾病（量、強さ共に）もしくは他の疾病の増加により、より安全且つ健康的な環境の中での育児に向けての新しい解決策が求められている。
【０００３】
ダスト公害物質、大気汚染、細菌及びウィルスのような環境的問題に対して、発育初期段階の乳幼児が、より繊細で脆弱であることが知られている。乳幼児が影響を免れるためのシステムは十分に発達しておらず、したがって、乳幼児は発育初期段階でより脆弱である。本考案は、乳幼児に害を及ぼすと考えられる人々の居る場所（例えば、医者のもとや病院を訪れるなど）、及びダスト公害物質及び他の大気汚染物質が蔓延している場所（例えば、産業母都市、喧騒な通り、喫煙スペースを有するカフェ／バー等）で乳幼児を保護するカバーを提供することを目的とする。
【課題を解決するための手段】
【０００４】
本考案の一様態は、子供又は乳幼児を保持する手段としてのカバーを提供し、保持手段は、少なくとも１つの開口部を備え、カバーは、
ａ．保持手段へのカバーの取付けは、カバーの外形を保持手段の開口部に合わせることを可能にする、保持手段へ解除可能な取付けをする手段と、
ｂ．開口部を通じて保持手段内へ取込まれる空気を、少なくとも部分的に濾過するように構成される層であって、不織布材料を含んで構成される少なくとも１つの層を含んで構成される層と、
ｃ．保持手段の中に居る子供は、保持手段の外部を見ることが可能であって、粉塵、大気汚染物質、ウィルス、細菌、紫外線、液体及び虫を含んで構成されるグループのうち少なくとも１つを透過させない層を含んで構成される少なくとも１つの窓と、を含んで構成される。
【０００５】
さらにカバーは、薄膜織物材料を含んで構成される少なくとも１つの層を含んで構成されてもよい。
【０００６】
ある実施形態において、カバーは、少なくとも２つの層を含んで構成され、そのうち、内側の層は薄膜織物材料を含んで構成され、外側の層は保持手段の開口部に面しており、不織布材料を含んで構成される。好ましくは、保持手段の開口部に面したカバーの領域は、酸素及び二酸化炭素を少なくとも部分的に透過させ、粉塵、大気汚染物質、スモッグ、ウィルス、細菌、紫外線、液体及び虫を含んで構成されるグループのうち少なくとも１つを、少なくとも部分的に透過させない。
【０００７】
ある実施形態において、カバーは、子供又は乳幼児を風、光又は騒音あるいは衝撃にさらされるのを少なくとも部分的に阻止又は抑制するように構成される。
【０００８】
カバーはさらに、引き紐、リボン、ベルクロ（登録商標）、ゴムバンド、ベルト、フック、掛け金、錠、輪なわ、スナップ、クロージャー、留め金、スナップファスナー、ポップファスナー又はプレスファスナーあるいはクリップを含んで構成されるグループのうち少なくとも１つを含んで構成される取付け手段を含んで構成される。
【０００９】
解除可能な取付け手段は、取付け手段が開口部周りに締め付けられている場合に、保持手段の開口部にカバーの外形を合わせるように構成されてもよい。
【００１０】
ある実施形態において、締め付けにより、カバーの一部を移動又は折り畳むことによって開口部を部分的に開放することが可能となる。
【００１１】
ある実施形態はさらに、例えば、子供／乳幼児を強い光から遮るために、窓を覆うための折畳式遮光層を含んで構成される。
【００１２】
ある実施形態において、カバーは、特に寒冷地での使用のために、保持手段の内部で保温を促進するように構成されてもよい。
【００１３】
本考案のもう一方の様態によると、本考案は、子供又は乳幼児を保持する手段を提供し、少なくとも１つの開口部を備え、少なくとも１つのカバーの取付けによって、開口部を通じて保持手段内へ取込まれる空気を、少なくとも部分的に濾過するように構成されること、及び乳幼児又は子供が保持手段の外部を見ることが可能となり、
ａ．保持手段へのカバーの取付けは、カバーの外形を保持手段の開口部に合わせることを可能にする、保持手段へ解除可能な取付けをする手段と、
ｂ．開口部を通じて保持手段内へ取込まれる空気を、少なくとも部分的に濾過するように構成され、不織布材料を含んで構成される少なくとも１つの層を含んで構成される層と、
ｃ．保持手段の中に居る子供は、保持手段の外部を見ることが可能であって、粉塵、大気汚染物質、ウィルス、細菌、紫外線、液体及び虫を含んで構成されるグループのうち少なくとも１つを透過させない層を含んで構成される少なくとも１つの窓と、を含んで構成される。
【００１４】
好ましくは、カバーは保持手段の開口部を包み込む。
【００１５】
好ましくは、保持手段は、濾過用カバー上で取付け手段へ解除可能な取付けをする手段で構成され、保持手段へのカバーの取付けにより、カバーの外形を保持手段の開口部に合わせることが可能となる。
【００１６】
保持手段は、例えば、ベビーカー、乳母車、ベビーキャリア、ベビーキャリコット、保育器、ベビーベッド、子供用自転車の座席又は荷台、バシネット、子供用モーターサイクルの座席又は荷台、及び三輪車の一部を含んで構成されるグループから選択されてもよい。
【００１７】
ある実施形態において、保持手段はさらに、例えば、子供又は乳幼児と少なくとも１つのカバーとの間に快適な隙間を作るために、少なくとも１つのカバーが配置されている上に足場を含んで構成される。
【図面の簡単な説明】
【００１８】
【図１】長方形型のベビーカバーを示す。
【図２】主長方形と３つの長方形で構成されるベビーカバーを示す。
【図３】１つの長方形と２つの四角形で構成されるキャリコットカバーを示す。
【図４】図１のベビーカバーを取り付けたベビーカーの斜視図を示す。
【図５】図２のベビーカバーを取り付けたベビーカーの斜視図を示す。
【図６】図３のキャリコットカバーを取り付けたキャリコットの斜視図を示す。
【図７】不織布から成る３つの層で構成されたカバーを示す。
【図８】他の実施形態におけるベビーカバーを取り付けたベビーカーの斜視図を示す。
【考案を実施するための形態】
【００１９】
本考案は、ベビーカー、キャリコット、及び乳幼児を中に居れて運ぶように設計された他の手段（概して、幼児用品のようなものについて言及される）内へ取込まれる空気を濾過するカバーを提供する。本考案のカバーは、中に入ってくる空気が前記カバーを通過するように、及び本明細書に記載される濾過手段によって濾過されるように、幼児用品を少なくとも部分的に包み込むことで設計されている。もちろん、本考案のカバーは、例えば、保育器、ベビーベッド等の、乳幼児の大きさに基づいて保持される何か他の手段を包み込むことで構成されてもよい。本考案のカバーは、ダスト公害物質、大気汚染物質、細菌及びウィルスにさらされることから、幼児用品の中にいる乳幼児を保護する。さらに前記カバーは、水（又は何か他の液体）、虫及び日光（紫外線）から乳幼児を保護する。
【００２０】
本考案のカバーは、濾過手段を含んで構成されており、そこを通過する空気を濾過することによって乳幼児を保護し、乳幼児が居る空間をより清潔且つ安全に保ち続けながら、そこを空気が通過できるように設計されている。環境的問題は、細菌、ウィルス、ダスト公害物質、大気汚染物質及び虫を含むがこれに限定されるものではない。
【００２１】
カバーは、カバーに覆われる幼児用品に酸素（Ｏ２）を取入れ、及び二酸化炭素（ＣＯ２）を除去しながら環境的問題を効率良く濾過し、それによってカバーを通気可能にする。本考案の好ましい実施形態において、カバーの外側の層は、粉塵、大きなダスト公害物質のようなサイズの大きな汚染物質を封じ込め、細菌又は他の病原菌の少なくとも一部もまた捕捉する。中間の層は、第１の層を通過した汚染物質を封じ込め、濾過処理の多くを行っている。
【００２２】
次に、本考案のカバーの２つの具体的な好ましい実施形態について以下に詳細を記述する。
i）様々なタイプのベビーカーを保護するように設計された幼児用品用カバー（図４及び図５）と、
ii）キャリコットを保護するように設計された幼児用品用カバー（図６）。
本考案のこれらの具体的な好ましい実施形態は、それらの複合材料、及びカバーをべビーカー及びキャリコットに配置する方法が他の類を見ないものである。
【００２３】
図７を参照すると、本考案のカバーは、好ましくは、不織布から成る３つの層で構成される。層は、カバーで覆われた幼児用品内へ、カバーを通して酸素（Ｏ２）を取込み、及びそこから二酸化炭素（ＣＯ２）を排出しながら、環境的問題を濾過するように前記カバーを適応させる。カバーの外側の層は、例えば、粉塵、大きなダスト公害物質のような大きな汚染物質を封じ込め、細菌又は他の病原菌の少なくとも一部も捕捉するように設計され、メルトブロー（ＭＢ，Meltblown）製法により製造される中間層は、第１の層を通過した汚染物質を封じ込める。
【００２４】
本考案のカバーは、単層で構成されてもよい。カバーは、複合不織布、又は、例えば薄膜織物のような不織布に取付けることができる何か他の通気性のある織物で作られる１つ又は複数の層を追加して構成されてもよい。
【００２５】
もちろん、本考案のカバーの異なる層が、本明細書に記載された適切な性質を備える何か他の織物で作られてもよい。
【００２６】
乳幼児にとって快適な空間の実現のために、例えば、香水などを追加で内部の織物に拡散させてもよい。３つの層は、長方形型構造体として（図１のＡを参照）まとめて縫い付けられる（又は何か他の適切な手法によりまとめて取付けられる）。長方形の中上部に、透明プラスチック製の窓が配置される（図１のＣを参照）。
【００２７】
この透明プラスチック製の窓により、ベビーカー内の乳幼児を見ることが可能となる。窓は、カバー外側の層の不織布材料の夫々の部品（図４のＣを参照）で任意に覆われてもよい。
【００２８】
ベビーカーの開口部を覆う長方形型カバーを容易且つ迅速に握るために、長方形型カバーの側面にゴムバンドが取付けられる（図１のＤを参照）。
【００２９】
図４に示したように、ベビーカーに亘ってカバーを握ることによって、ベビーカー開口部を十分に覆うことを可能にする。長方形型カバーの長辺は、そこに取付けられる１つ又は複数の織物ストリップを含む（図１のＢを参照）。
【００３０】
ストリップは、ベビーカー背面とカバーとを結び付ける（又はベルクロ(登録商標）あるいは何か他の取付け手段によって取付ける）ために使用される（図４のＢを参照）。
【００３１】
ストリップの締め付けにより、カバーの外形をベビーカーの外形に完全に合わせることができて、これによって最大限の不透過性を実現する。
【００３２】
ベビーカーの背面周りのストリップの締め付け及び結び付けることにより、カバーの上側又は下側を移動させて、カバー全体を取外すことなく一方は閉じたままで、開口部を部分的に開放することが可能となる。
【００３３】
前述のように、長方形の側面の夫々に、複数のストリップを配置して、ベビーカーの他の部位周りの追加の締め付けに使用することができる（図１のＢを参照）。
【００３４】
本明細書に記載の長方形型カバーが、ベビーカーの前面下方部分を十分に覆うことができない異なるタイプのベビーカーに、カバー構造体を適応させるために、同じ３つの層を含んで構成される追加の３つの長方形を、図５に示されるように取付けることができる（図５のＥ、Ｆ及びＧを参照）。
【００３５】
３つの長方形（Ｅ、Ｆ及びＧ）は、主長方形の３辺でメインカバーの前面に縫い付けられている（又は何か他の手法によって取付けられる）（図２を参照）。これらを取付けることにより、３つのカバーでベビーカーの前面下方部分を覆うことが可能となり、下方部分を細菌、ウィルス、ダスト公害物質及び大気汚染物質にさらされないようになる。
【００３６】
本明細書に記載された追加される長方形は、ベルクロ(登録商標）によって主長方形に可逆的に取付けることができる。追加される３つの長方形は、主長方形と同じ不織布複合体で作られても、又は何か他の適当な織物から作られてもよい。
【００３７】
ベビーカーに関する本考案の他の好ましい実施形態は、図８に明示される。この実施形態においては、ベビーカーのカバーは、大気汚染物質からの保護よりも雨及び風からの保護に、より重点を置いている。この実施形態においては、カバーは、雨及び風から保護すると同時に通気性もある。本明細書に記載されたように、カバーを通過する空気は、カバーの不織布によって濾過される。
【００３８】
図８に示すように、全てのカバーは、透明プラスチック製の材料から作られているが（図８のＡ、Ｃ、Ｄ及びＥを参照）、これは本明細書にすでに記載された第１のベビーカーのカバーに示された窓を作っている材料と同様のものである。カバーの両側面に沿って、不織布製の材料のシートが拡がっている（図８のＢを参照）。
【００３９】
もちろん、同様な性質を備えた他の材料が、同等に使用されてもよい。また、濾過シートは、必要とされる濾過特性を有するただ１つの層で構成されてもよい。１つ又は複数の追加層が、前記層に追加されてもよい。前記追加層は、好ましくは、例えば、多孔質材料のような空気がそこを通過できる材料から作られる。
【００４０】
透明プラスチック製の材料の機能は、雨及び風から乳幼児を保護する一方、図８のＢの機能は、そこを通過する空気を濾過することである。Ｂはまた、ベルクロ(登録商標）のストリップによってメインカバー本体に可逆的に取付けることができ、その結果、カバー全体を取替える必要なく、長期間の使用後に必要なくなった部分を取替えることができる。
【００４１】
本考案の第１に記載されたベビーカーのカバー（図４を参照）は、以下のように作成されてよい。不織布の長方形の３つの層が、それらの両側面（長方形の周囲）（おそらくストリップを数回縫い付けて）に沿ってまとめて縫い付けられる（何か他の形式で接着又は取付けられる）。３つの層の織物の両側の側面に沿って、ゴム製のストリップが縫い付けられ（何か適切な形式で接着又は取付けられる）、及び織物の両端が折り畳まれて縫い付けられる（何か他の形式で接着又は取付けられる）（図１のＤを参照）。カバーの長辺に１つ又は複数の結び付けストリップが、例えば、縫い付けによって取付けられてもよい（図１のＢを参照）。プラスチック製の窓を太陽光から遮ることを目的として、上側の第４側面を主織物に残しつつ、透明な窓と同一な形状となるように３つの側面に切込みが入れられる。織物の中央上部に、プラスチック製の窓（又は他の透明な材料）が配置されて、縫い付けられる（接着又は何か他の取付け方法）。窓のカバーは、ベルクロ（登録商標）ストリップによって透明材料に亘って可逆的に取付けられる。考えられうる３つの追加される長方形は、主織物と同様に作成されてよく、それから図２に示される主長方形型構造体に縫い付けられる（接着又は取付けられる）。
【００４２】
図６を参照すると、キャリコットのために設計された本考案の好ましい実施形態が示されているが、この場合、カバーは、好ましくは、本明細書にすでに記載の不織布（又は何か他の織物）の同じ３つの層で構成される。
【００４３】
図３を参照すると、本考案のキャリコットカバーは、好ましくは、３つの不織布層を夫々有する３つの部分で構成されているが、この場合、２つの四角形部品（Ａ及びＤ）は、中央の長方形型不織布部品によって一緒に接合されている。
【００４４】
長方形の中央部分に、又は長方形の周囲に亘って、透明プラスチック製の窓が配置される。透明な窓により、キャリコット内の乳幼児を見ることができる。
【００４５】
不織布カバーによって窓を覆うという、１つの選択肢がある（図６のＣを参照）。キャリコット周辺のカバーを容易且つ迅速に握るために、長方形の開いた側面及び四角形部品の開いた両側面に、ゴム製バンドが取付けられる（図６のＥを参照）。
【００４６】
本考案のキャリコットカバーは、以下のようにして作成されてもよい。３つの外形を作りだすために（おそらくストリップを数回縫い付けて）、不織布でできた３つの層が、それらの辺に沿って、縫い付けられる（何か他の方法で接着又は取り付けられる）。
【００４７】
２つの四角形部品及び長方形を含んで構成される外形が、本明細書に記載された。２つの四角形部品及び長方形の作成後、前記四角形部品及び前記長方形は、図３に示すように縫い付けられる（接着又は取付けられる）（図３の縫い付け法の説明を参照）。プラスチック製の窓を太陽から遮ることを目的として、上側の第４側面を長方形型織物部品に残しつつ、透明な窓と同一な形状となるように３つの側面に切込みが入れられる。織物の中央上部に、プラスチック製の窓（又は何か他の透明材料）が配置されて、縫い付けられる（図３のＣを参照）。
【００４８】
前記透明材料は、ベルクロ（登録商標）を用いて可逆的に取付けられてよい。得られた構造体（３つの部品をまとめて縫い付けた後に）の両側面に沿って、ゴム製ストリップが縫い付けられ（別々に接着又は取付けられる）、前記構造体の両端は、ゴムに亘って折り畳まれて縫い付けられる（別々に接着又は取付けられる）（図３を参照）。
【００４９】
ベビーカーのカバー及びキャリコットのカバーは、必ずしも必要なものではなく、必要な時に使用することができることに留意すべきである。さらに、図示された全てのパラメータは、単なる一例として与えられたものであり、本考案の様々な実施形態の異なる必要性に応じて変えてもよい。したがって、本明細書に記載されたパラメータは、決して本考案の範囲を限定するものとして解釈されるべきではない。さらに、幾何学的に異なる形状であっても、異なる考案者によって本明細書に記載されたものと同等に使用されてもよいと理解されるべきである。前述した実施例及び記載はもちろん、例示の目的のために提供され、決して考案を限定することを意図していない。本考案は、当業者によって理解されるだろうが、本考案の範囲を逸脱することなく、本明細書の記載から複数の手法を採用することで、多種多様な方法で実施することが可能となる。
【図１】
0003181129.tif 000003
【図２】
0003181129.tif 000004
【図３】
0003181129.tif 000005
【図４】
0003181129.tif 000006
【図５】
0003181129.tif 000007
【図６】
0003181129.tif 000008
【図７】
0003181129.tif 000009
【図８】
0003181129.tif 000010